(57)【要約】【課題】多彩な発光パターンを簡単な構造で実現できる棒状ライトを提供する。【解決手段】棒状ライトは、筒状の胴体部と、胴体部の内部に設けられ、複数の発光部材で構成される発光部と、胴体部と連結し、手によって保持可能な保持部と、保持部の内部に設けられ、発光部に電力を供給する電源部と、保持部の内部に設けられ、発光部の発光条件を制御するメイン制御部と、メイン制御部からのメイン制御信号に基づいて複数の発光部材の発光条件を制御する複数のサブ制御部と、保持部の外面に設けられ、メイン制御部に対して、発光条件の切り替え指示を与えるスイッチ部と、を有する。複数のサブ制御部は、メイン制御信号に基づいて個別に制御される。【選択図】図８
2020027747.tif 000002
【特許請求の範囲】
【請求項１】
筒状の胴体部と、
前記胴体部の内部に設けられ、複数の発光部材で構成される発光部と、
前記胴体部と連結し、手によって保持可能な保持部と、
前記保持部の内部に設けられ、前記発光部に電力を供給する電源部と、
前記保持部の内部に設けられ、前記発光部の発光条件を制御するメイン制御部と、
前記メイン制御部からのメイン制御信号に基づいて前記複数の発光部材の発光条件を制御する複数のサブ制御部と、
前記保持部の外面に設けられ、前記メイン制御部に対して、前記発光条件の切り替え指示を与えるスイッチ部と、
を有する棒状ライトにおいて、
前記複数のサブ制御部は、前記メイン制御信号に基づいて個別に制御される
ことを特徴とする棒状ライト。
【請求項２】
前記複数のサブ制御部が前記複数の発光部材毎に設けられている
ことを特徴とする請求項１に記載の棒状ライト。
【請求項３】
前記メイン制御部および前記サブ制御部は、一体に設けられている
ことを特徴とする請求項１または２に記載の棒状ライト。
【請求項４】
前記複数の発光部材は、１つの前記サブ制御部に対して複数設けられている
ことを特徴とする請求項１〜３のいずれか一項に記載の棒状ライト。
【請求項５】
前記メイン制御部は、前記複数の発光部材の一部のみが同時に発光するように前記複数のサブ制御部を制御する
ことを特徴とする請求項１〜４のいずれか一項に記載の棒状ライト。
【請求項６】
前記メイン制御部は、前記複数の発光部材の一部ずつが順次発光するように前記複数のサブ制御部を制御する
ことを特徴とする請求項１〜５のいずれか一項に記載の棒状ライト。 
【請求項７】
前記メイン制御部は、前記複数の発光部材の一部ずつが均等に発光するように前記複数のサブ制御部を制御する
ことを特徴とする請求項１〜６のいずれか一項に記載の棒状ライト。
【請求項８】
前記メイン制御部は、前記複数の発光部材が前記胴体部の長手方向の一端から他端に向かって順次発光するように前記複数のサブ制御部を制御する
ことを特徴とする請求項１〜７のいずれか一項に記載の棒状ライト。
【請求項９】
前記メイン制御部は、前記電源部の消費電力が所定値以下になるように前記複数のサブ制御部を制御する
ことを特徴とする請求項１〜８のいずれか一項に記載の棒状ライト。
【請求項１０】
前記メイン制御部は、前記スイッチ部が操作される毎に前記発光条件として前記複数の発光部材が発光する時間間隔を変更するように前記複数のサブ制御部を制御する
ことを特徴とする請求項１〜９のいずれか一項に記載の棒状ライト。
【請求項１１】
前記複数の発光部材は、複数の色彩を発光することができ、
前記複数のサブ制御部は、前記複数の発光部材の発光色を制御する
ことを特徴とする請求項１〜１０のいずれか一項に記載の棒状ライト。
【請求項１２】
前記メイン制御部は、前記スイッチ部が操作される毎に前記発光条件として前記複数の発光部材が発光する色彩を変更するように前記複数のサブ制御部を制御する
ことを特徴とする請求項１１に記載の棒状ライト。
【請求項１３】
前記複数のサブ制御部は、前記複数の発光部材の光度を制御する
ことを特徴とする請求項１〜１２のいずれか一項に記載の棒状ライト。
【請求項１４】
前記メイン制御部は、前記スイッチ部が操作される毎に前記複数の発光部材の光度を変更するように前記複数のサブ制御部を制御する
ことを特徴とする請求項１３に記載の棒状ライト。
【発明の詳細な説明】
【技術分野】
【０００１】
本発明は、棒状ライトに関する。
【背景技術】
【０００２】
イベントやコンサートなどにおいて、ペンライトや、照明など光を用いて演出効果を高めるものや、光によって興味を引き立てるライトが多く流通している。棒状ライトは、コンサート等の夜間に行われるイベントにおいては、点灯した状態で振りかざし、会場を盛り上げるために多く用いられている。
【０００３】
そのため、棒状ライトは、手で振りかざせる程度の小型軽量であり、かつ、十分な光度およびそれを維持できるだけの電力を備える必要がある。
【０００４】
特許文献１には、グリップにバッテリ収納室、複数のスイッチボタン、通信回線、１つ以上のＬＥＤ素子を有する光源部、点灯制御部としてのＣＰＵ、などが収容または形成されている棒状の灯具を開示している。複数のスイッチボタンを使い分けることで点灯色を切り替えたり決定したりすることができる。
【先行技術文献】
【特許文献】
【０００５】
【特許文献１】特開２０１７−９１８４０号公報
【発明の概要】
【発明が解決しようとする課題】
【０００６】
しかしながら、特許文献１に開示された棒状ライトは、グリップに光源部を備えているため、点灯部が一括に点灯されるため、点灯部全体として発光パターンに限りがある。また、点灯部の光度の調整も光源部の出力の強弱によって行なうため、点灯部全体の光度が変更されてしまう。すなわち、イベントやコンサートなどにおいて多彩な発光パターンに対応しきれていない可能性がある。
【０００７】
本発明は上記事情に鑑みてなされたものであり、多彩な発光パターンを簡単な構造で実現できる棒状ライトを提供することを目的とする。
【課題を解決するための手段】
【０００８】
（１）本発明の態様は、棒状ライトに関する。棒状ライトは、筒状の胴体部と、胴体部の内部に設けられ、複数の発光部材で構成される発光部と、胴体部と連結し、手によって保持可能な保持部と、保持部の内部に設けられ、発光部に電力を供給する電源部と、保持部の内部に設けられ、発光部の発光条件を制御するメイン制御部と、メイン制御部からのメイン制御信号に基づいて複数の発光部材の発光条件を制御する複数のサブ制御部と、保持部の外面に設けられ、メイン制御部に対して、発光条件の切り替え指示を与えるスイッチ部と、を有する。複数のサブ制御部は、メイン制御信号に基づいて個別に制御される。
【０００９】
上記態様にかかる棒状ライトによると、個別にサブ制御部が発光部材を制御できるため、発光源が１つの従来の棒状ライトと比較して様々なパターンの発光を実現することができる。
【００１０】
（２）また、上記（１）において、複数のサブ制御部が複数の発光部材毎に設けられていてもよい。
【００１１】
上記態様によると、細かい発光部材単位の制御が可能となるため、より様々なパターンの発光を実現できる。
【００１２】
（３）上記態様において、上記メイン制御部およびサブ制御部は、一体に設けられていてもよい。
【００１３】
上記態様によると、メイン制御部およびサブ制御部が一体として用意できるため、部品点数を削減することができる。
【００１４】
（４）上記態様において、複数の発光部材は、１つのサブ制御部に対して複数設けられていてもよい。
【００１５】
上記態様によると、発光部材が１つのサブ制御部に対して複数設けられているため、いずれか１つの発光部材が故障しても他の発光部材が発光可能であるため、発光部として発光パターンを維持することができる。
【００１６】
（５）上記態様において、メイン制御部は、複数の発光部材の一部のみが同時に発光するように複数のサブ制御部を制御してもよい。
【００１７】
上記態様によると、棒状ライトの消費電力を発光部材が全灯している場合と比較して小さく維持することができる。
【００１８】
（６）上記態様において、上記メイン制御部は、複数の発光部材の一部ずつが順次発光するように複数のサブ制御部を制御してもよい。
【００１９】
上記態様によると、棒状ライトの消費電力を発光部材が全灯している場合と比較して小さく維持することができる。
【００２０】
（７）上記態様において、メイン制御部は、複数の発光部材の一部ずつが均等に発光するように複数のサブ制御部を制御してもよい。
【００２１】
上記態様によると、発光部材が均等に発光されるため、全ての発光部材の寿命が同時期に迎えることができる。
【００２２】
（８）上記態様において、メイン制御部は、複数の発光部材が胴体部の長手方向の一端から他端に向かって順次発光するように複数のサブ制御部を制御してもよい。
【００２３】
上記態様によると、発光パターンとして波のような演出を得ることができる。
【００２４】
（９）上記態様において、メイン制御部は、電源部の消費電力が所定値以下になるように複数のサブ制御部を制御してもよい。
【００２５】
上記態様によると、消費電力を低く保つことができるため、長時間に渡って棒状ライトを使用することができる。
【００２６】
（１０）上記態様において、メイン制御部は、スイッチ部が操作される毎に発光条件として複数の発光部材が発光する時間間隔を変更するように複数のサブ制御部を制御してもよい。
【００２７】
上記態様によると、発光する時間間隔を発光パターンとして変更することができる。
【００２８】
（１１）上記態様において、複数の発光部材は、複数の色彩を発光することができてもよく、複数のサブ制御部は、複数の発光部材の発光色を制御してもよい。
【００２９】
上記態様によると、多彩な色彩を発光パターンによって表現することができる。
【００３０】
（１２）上記態様において、メイン制御部は、スイッチ部が操作される毎に発光条件として複数の発光部材が発光する色彩を変更するように複数のサブ制御部を制御してもよい。
【００３１】
上記態様によると、所望の色彩において発光を維持することができたり、自動的に色彩が変更されるモードに切り替えたりすることができる。
【００３２】
（１３）上記態様において、複数のサブ制御部は、複数の発光部材の光度を制御してもよい。
【００３３】
上記態様によると、光度を調整できるため、発光パターンを増やすことができる。
【００３４】
（１４）上記態様において、メイン制御部は、スイッチ部が操作される毎に複数の発光部材の光度を変更するように複数のサブ制御部を制御してもよい。
【００３５】
上記態様によると、所望の光度をスイッチ部の操作によって得ることができる。
【発明の効果】
【００３６】
本発明によると、簡単な構成にもかかわらず、多彩な発光パターンを得ることが可能な棒状ライトを提供することができる。また、複数の発光部材を細かい単位で制御可能となるため、発光パターンを得られるだけでなく、消費電力の制御も容易に行なうことができる。
【図面の簡単な説明】
【００３７】
【図１】本実施形態に係る棒状ライトの正面を示す図である。
【図２】本実施形態に係る棒状ライトを正面からみた図である。
【図３】本実施形態に係る棒状ライトを図２における右側面からみた図である。
【図４】本実施形態に係る棒状ライトを図２における左側面からみた図である。
【図５】本実施形態に係る棒状ライトを背面からみた図である。
【図６】本実施形態に係る棒状ライトを平面からみた図である。
【図７】本実施形態に係る棒状ライトを底面からみた図である。
【図８】本実施形態に係る棒状ライトを図２のＶＩＩＩ−ＶＩＩＩにおける断面図である。
【図９】本実施形態に係る棒状ライトを分解した状態を示した図である。
【発明を実施するための形態】
【００３８】
以下、図面を参照して本発明の一実施形態における棒状ライトについて詳細に説明する。
【００３９】
（棒状ライト１００の構成）
図１は、本実施形態に係る棒状ライト１００の正面を示す図であり、図２は、本実施形態に係る棒状ライト１００を正面からみた図であり、図３は、本実施形態に係る棒状ライト１００を図２における右側面からみた図であり、図４は、本実施形態に係る棒状ライト１００を図２における左側面からみた図であり、図５は、本実施形態に係る棒状ライト１００を背面からみた図であり、図６は、本実施形態に係る棒状ライト１００を底面からみた図であり、図７は、本実施形態に係る棒状ライト１００を平面からみた図である。また、図８は、本実施形態に係る棒状ライト１００を図２のＶＩＩＩ−ＶＩＩＩにおける断面図である。
【００４０】
本実施形態に係る棒状ライト１００は、筒状の胴体部１０１と、胴体部１０１の内部に設けられ、複数のＬＥＤで構成された発光部２０１と、胴体部１０１と連結し、手によって保持可能な保持部３０１と、保持部３０１の内部に設けられ、発光部２０１に電力を供給する電源部４０１と、保持部３０１の内部に設けられ、発光部２０１の発光条件を制御するメインＩＣ５０１と、複数のＬＥＤに隣接して、メインＩＣ５０１からのメイン制御信号に基づいて複数のＬＥＤの発光条件を制御する複数のサブＩＣ６０１と、保持部３０１の外部に設けられ、メインＩＣ５０１に対して、発光条件の切り替え指示を与えるスイッチ部７０１と、を備える。
【００４１】
胴体部１０１は、発光部２０１の発光の様子が胴体部１０１の外から視認できるように透過性を有している。例えば、半透明のプラスチックやガラス等で構成されてもよい。本実施形態においては、プラスチックで構成されている。また、透過性を有している部分は、発光部２０１が視認できるのであれば、一部分のみであってもよい。
【００４２】
胴体部１０１は、発光部２０１が発する光を遮蔽するヘッド部１０２を含む。ヘッド部１０２は、例えばアルミなどの金属片を用いてもよい。本実施形態では、アルミ板で構成されている。ヘッド部１０２は、胴体部１０１の上端に設けられている。
【００４３】
また、ヘッド部１０２は、光を一部透過させる、図形形状からなる切り込みを有する構成としてもよい。切り込みは、線状の図形形状であり、ヘッド部１０２へ照射された光が透過可能な箇所をいう。切り込みは、星や王冠のような図形や、文字としてもよい。ただし、切り込みは、光度を十分に抑えられる程度の幅であることが望ましい。
【００４４】
胴体部１０１は、さらに、内側に装飾シート１０３を備えてもよい。装飾シート１０３は、特定の波長の光が透過可能なシートのことをいう。発光部２０１から発光された特定の波長の光を、該装飾シート１０３に透過させることで、光が色を有しているように見せる効果がある。また、装飾シート１０３は、表面に複数の凹凸を備え、光を乱反射させるものであってもよい。具体的には、セロファン、塩化ビニール、フィルムなどが挙げられる。
【００４５】
図８に示すように、本実施形態において、胴体部１０１は、外側胴体部１０１ａおよび内側胴体部１０１ｂからなる。そして、後述する通り、外側胴体部１０１ａおよび内側胴体部１０１ｂの隙間に装飾シート１０３は、挿入される。
【００４６】
発光部２０１は、胴体部１０１の内部に設けられ、電源部４０１からの電力供給を受け発光する複数のＬＥＤからなる。ＬＥＤは、各ＬＥＤが単一の発光色に発光するものでもよく、各ＬＥＤが複数の発光色に発光するものであってもよい。本実施形態においては、白色光を発するＬＥＤを用いている。なお、複数のＬＥＤは、胴体部１０１の内部にて一端から他端に向かって１列または２列に配列されている。
【００４７】
保持部３０１は、棒状ライト１００を保持するための部位をいう。保持部３０１は、例えば、手でつかまれる。また、保持部３０１の内部には、後述する電源部４０１やメインＩＣ５０１が設けられている。保持部３０１は、上端が胴体部１０１の下端と連結している。
【００４８】
保持部３０１は、携帯時の利便性のためにストラップ留３０２を有する。また、保持部３０１は、保持部３０１の背面に電源部４０１を外部から取り外し可能な、電源蓋３０３を備えている。
【００４９】
電源部４０１は、発光部２０１に電力を供給するものをいう。具体的には、乾電池やボタン電池などが挙げられる。電源部４０１は、一次電池や二次電池であり、二次電池の場合は、電源部４０１の外部から供給された電力を蓄電する構成であるとよい。また、外部から供給される電力は、太陽光を電力に変換したものであってもよい。本実施形態においては、単三などの乾電池である。
【００５０】
保持部３０１は、発光部２０１の発光条件を制御するメインＩＣ５０１を備えている。メインＩＣ５０１は、制御回路を有したものをいい、具体的にはＣＰＵ（Central Processing Unit）やＩＣチップなどの基板回路が挙げられ、一または複数個のプロセッサおよびその周辺回路を備える。メインＩＣ５０１は、発光部２０１の発光条件として、例えば発光部２０１の光度、点滅速度、発光色などを制御する。また、メインＩＣ５０１は、これらの発光条件を記憶する記憶領域を有していることが望ましい。記憶領域は、例えば、半導体メモリ、磁気ディスク装置、または光ディスク装置のうちの少なくともいずれか一つを備える。
【００５１】
胴体部１０１の内部には、複数の発光部２０１が備えられ、各発光部２０１は、個々のＬＥＤ（発光）を制御するサブＩＣ６０１を備える。なお、各発光部２０１は、該発光部２０１を制御できるようにサブＩＣ６０１が１対１に対応付けられて配されていれば、必ずしも内蔵せずともよい。なお、発光部２０１にサブＩＣ６０１を内蔵した方が、発光部２０１およびサブＩＣ６０１を個別に備える場合に比して、発光部２０１およびサブＩＣ６０１を個別に基板に溶接しなくてもよくなるため、製造が容易になる。なお、原則として、発光部２０１とサブＩＣ６０１は、１対１に設けられるが、１つのサブＩＣ６０１が複数の発光部２０１を制御することとしてもよい。
【００５２】
サブＩＣ６０１は、メインＩＣ５０１のメイン制御信号に基づいて、制御対象のＬＥＤの光度、点滅速度、発光色などを制御する。
【００５３】
これによって、複数のＬＥＤをそれぞれ制御して発光パターンを豊富にすることができる。さらに、複数のＬＥＤが、１つのサブＩＣ６０１に対して複数設けられているため、いずれか１つのＬＥＤが欠損または破損したとしても、発光部２０１全体として発光パターンや発光色に影響が出にくい。特に、複数のサブＩＣがそれらに対応するＬＥＤにそれぞれ異なる発光色を発光させる場合には、発光色が欠落すると発光部２０１の発光の完成度が下がってしまう。よって、本実施形態によると、発光色の欠損による発光部２０１の完成度の低下を防ぐことができる。
【００５４】
なお、メインＩＣ５０１および複数のサブＩＣ６０１は、同一基板上（一体）に設けられてもよい。すなわち、ＩＣ用の基盤が胴体部１０１および保持部３０１に渡って配置され、メインＩＣ５０１、サブＩＣ６０１、およびＬＥＤが配設されている。これによって部品点数を削減することができる。
【００５５】
保持部３０１は、メインＩＣ５０１に対して、発光条件の切り替え指示を与えるスイッチ部７０１を有する。
【００５６】
本実施形態では、スイッチ部７０１を押す回数や操作する回数などによって、発光部２０１の発光パターン、発光部２０１の光度、および発光部２０１の色彩を切り替え可能である。本実施形態では、スイッチ部７０１を操作するたびに発光部２０１のＬＥＤの発光パターンが変化する。
【００５７】
図９は、本実施形態に係る棒状ライト１００を分解した状態を示した図である。
【００５８】
図９に示すように、棒状ライト１００は、胴体部１０１、保持部３０１が連結した筒状の形状をしている。胴体部１０１は、胴体部１０１の内側に装飾シート１０３が挿入され、ヘッド部１０２が被せられ、固定されている。
【００５９】
また、胴体部１０１は前述の通り、外側胴体部１０１ａおよび内側胴体部１０１ｂからなり、装飾シート１０３は、外側胴体部１０１ａおよび内側胴体部１０１ｂの隙間に挿入される。
【００６０】
さらに、胴体部１０１は、下端において固定具１０４に挿入され、外側保持部３０１ａおよび内側保持部３０１ｂからなる保持部３０１を連結する。連結は、第１金具３０４、第２金具３０５、および複数の螺子３０６ａによって行なわれる。なお、保持部３０１が連結される前に複数の部品が内部に配置されるが、詳細は後述する。
【００６１】
胴体部１０１の上端には、ヘッド部１０２を固定するための内側蓋１０５が配置され、ヘッド部１０２と共に胴体部１０１の上端面を形成する。
【００６２】
次に、保持部３０１の内部構造について、図９を用いて説明する。
【００６３】
保持部３０１は、メインＩＣ５０１、サブＩＣ６０１、および発光部２０１を備えるＰＣＢ基盤３０７を、ＰＣＢ固定具３０８（上側ＰＣＢ固定具３０８ａおよび下側ＰＣＢ固定具３０８ｂからなる）を用いて固定する。
【００６４】
ＰＣＢ基盤３０７は、電源部４０１から電力を通電するための通電部３０９に接続されており、ＰＣＢ固定具３０８によってＰＣＢ基盤３０７と共に固定されている。
【００６５】
電源蓋３０３は、螺子３１０および螺子受３１１によって保持部３０１に固定されている。この螺子３１０を取り外しすることで、電源部４０１を交換したり充電したりすることができる。
【００６６】
スイッチ部７０１は、保持部３０１の下端に設けられ、内部にボタン３１２を有している。スイッチ部７０１が操作されると、ボタン３１２を介して、該操作の回数や時間などの情報がメインＩＣ５０１に伝えられる。
【００６７】
（メインＩＣ５０１の制御）
次に、メインＩＣ５０１によるサブＩＣ６０１の制御の一例について説明する。
【００６８】
メインＩＣ５０１は、複数のＬＥＤの一部のみが同時に発光するように複数のサブＩＣ６０１を制御する。すなわち、同時に全てのＬＥＤが点灯しないようにサブＩＣ６０１を制御する。この構成によって、時間当たりの消費電力を抑えることができる。
【００６９】
メインＩＣ５０１は、複数のＬＥＤの一部ずつが順次発光するように複数のサブＩＣ６０１を制御する。すなわち、同時に全てのＬＥＤが点灯しないようにサブＩＣ６０１を制御する。この構成によって、時間当たりの消費電力を抑えることができる。
【００７０】
複数のＬＥＤの発光パターンは、ＬＥＤが胴体部１０１の長手方向の一端（上端）から他端（下端）に向かって順次発光するように複数のサブＩＣ６０１を制御する。すなわち、発光部の発光が端から端へ流れるようにサブＩＣ６０１を制御することができる。また、この他にも、ＬＥＤの一部分がランダムに点灯する構成や、一部分がランダムに消灯する構成も採用可能である。本実施形態によると、複数のサブＩＣ６０１がメインＩＣ５０１によって個々に制御されているため、消費電力を抑えつつ様々な発光パターンを実現することができる。
【００７１】
また、メインＩＣ５０１は、複数のＬＥＤの一部ずつが均等に発光するように複数のサブＩＣ６０１を制御する。この構成によって、複数のＬＥＤが満遍なく発光するため、全てのＬＥＤの寿命を均一化することができる。
【００７２】
メインＩＣ５０１は、電源部４０１の消費電力が所定値以下になるように複数のサブＩＣ６０１を制御する。イベントやコンサートなどは長時間におよぶため、消費電力を抑えることでイベントやコンサートの終了まで発光を持続することができる。また、スイッチ部７０１の操作によって、長時間運転モードに切り替わるように制御するようにメインＩＣの記憶領域に発光パターンを記憶していてもよい。
【００７３】
また、メインＩＣ５０１は、スイッチ部７０１が操作される毎に発光条件として複数のＬＥＤが発光する時間間隔を変更するように複数のサブＩＣ６０１を制御するように発光パターンを記憶領域に記憶していてもよい。すなわち、ＬＥＤの発光周期を変更することで発光パターンを豊富にすることができる。発光周期が変更されても、使用電力に変化がないように発光パターンを制御することが好ましい。
【００７４】
以上、本発明の実施形態について、図面を参照して説明してきたが、具体的な構成はこの実施形態に限定されるものではなく、本発明の趣旨を逸脱しない範囲においての種々の変更も含まれる。
【００７５】
（変形例１）
本実施形態では、スイッチ部７０１を操作するたびに発光部２０１のＬＥＤの発光パターンが変化することとしたが、スイッチ部７０１を操作するたびに発光部２０１のＬＥＤの色彩が変更するようにサブＩＣ６０１をメインＩＣ５０１が制御してもよい。すなわち、サブＩＣ６０１は、ＬＥＤの波長域（ｎｍ）を利用して、ＲＧＢ値や明度及び彩度を設定することにより異なる色彩をＬＥＤに発光させる。
【００７６】
例えば、スイッチ部７０１が操作されるたびに予め定められた色彩が順次選択されるようにメインＩＣ５０１がサブＩＣ６０１を制御してもよく、一巡した際には全ての色彩が自動的に順次発光される虹色モードなどを備えていてもよい。
（変形例２）
【００７７】
本実施形態では、スイッチ部７０１を操作するたびに発光部２０１のＬＥＤの発光パターンが変化することとしたが、スイッチ部７０１を操作するたびに発光部２０１のＬＥＤの光度を制御してもよい。
【００７８】
例えば、スイッチ部７０１が操作されるたびに予め定められたＬＥＤの光度が順次選択されるようにメインＩＣ５０１がサブＩＣ６０１を制御してもよく、一巡した際には全てのＬＥＤが消灯するようにしてもよい。
【符号の説明】
【００７９】
１００    棒状ライト
１０１    胴体部
１０２    ヘッド部
１０３    装飾シート
１０４    固定具
１０５    内側蓋
２０１    発光部
３０１    保持部
３０２    ストラップ留
３０３    電源蓋
３０４    第１金具
３０５    第２金具
３０６    螺子
３０７    ＰＣＢ基盤
３０８    ＰＣＢ固定具
３０９    通電部
３１０    螺子
３１１    螺子受
３１２    ボタン
４０１    電源部
５０１    メインＩＣ
６０１    サブＩＣ
【図１】
2020027747.tif 000003
【図２】
2020027747.tif 000004
【図３】
2020027747.tif 000005
【図４】
2020027747.tif 000006
【図５】
2020027747.tif 000007
【図６】
2020027747.tif 000008
【図７】
2020027747.tif 000009
【図８】
2020027747.tif 000010
【図９】
2020027747.tif 000011